(57)【要約】      （修正有）【課題】屋根材を、屋根材同士をつなぎ合わせるための余計な部材が不要な単一部材で構成し、桁行−棟方向、桁行方向に屋根材同士をつなぎ合わせるだけの簡単な作業で建築物の屋根を葺きあげることができる折板屋根材、その折板屋根材の接続構造及びその折板屋根材の接続に用いる固定具を提供する。【解決手段】桁行−棟方向に沿って伸延する一対の長辺１ａ、１ｂおよび桁行方向に伸延する一対の短辺１ｃにて区画された底板部１と、この底板部１の前記各長辺１ａ、１ｂの全長にわたってつながり外開き状態でそれぞれ立ち上がるとともにその上部にて横向きに張り出した凸部２ａ、３ａを有する傾斜側板部２、３と、この傾斜側板部２、３の各上端部につながる天板部４、５と、この天板部４、５の末端にてそれぞれ立ち上がり桁行方向に沿って隣接配置される他の折板屋根材のハゼ部と嵌合してそれらとの相互接続を可能とするハゼ部６、７とを備えている。【選択図】図１
2014114652.tif 000002
【特許請求の範囲】
【請求項１】
桁行−棟方向に沿って伸延する一対の長辺および桁行方向に沿って伸延する一対の短辺にて区画された底板部と、この底板部の前記各長辺の全長にわたってつながり外開き状態でそれぞれ立ち上がるとともにその上部にて横向きに張り出した先端先細り状の凸部を有する傾斜側板部と、この傾斜側板部の各上端部につながる天板部と、この天板部の末端にてそれぞれ立ち上がり桁行方向に沿って隣接配置される他の折板屋根材のハゼ部と嵌合して相互接続を可能とするハゼ部とを備え、前記底板部と前記傾斜側板部との境界及び前記傾斜板部と前記天板部との境界を屈曲部にして山、谷を交互に形成する折板屋根材であって、
前記底板部、前記傾斜側板部及び前記天板部の棟側端に、該棟側端を起点に立ち上りその上側に配置される他の折板屋根材の裏面に当接可能な起立壁を設け、該底板部、該傾斜側板部及び該天板部の桁行側端に、該桁行側端を起点に垂れ下がり、その下側に位置する他の折板屋根材の外表面に当接可能な垂下壁を設けたことを特徴とする折板屋根材。
【請求項２】
前記起立壁のうち、天板部において立ち上がる起立壁は、前記凸部の断面形状と同じ形状をなし、その上側に配置される他の折板屋根材との重ね合わせ状態で該上側に配置される他の折板屋根材に連係可能な顎部を有し、前記垂下壁のうち、傾斜側板部において垂れ下がる垂下壁は、前記凸部に嵌合可能な形状をなし、その下側に位置する他の折板屋根材との重ね合わせ状態で該下側に位置する他の折板屋根材に連係可能な凹所を有することを特徴とする請求項１に記載した折板屋根材。
【請求項３】
前記起立壁の少なくとも上端に弾性シール部材を配置し、前記垂下壁の少なくとも下端に弾性シール部材を配置したことを特徴とする請求項１または２に記載した折板屋根材。
【請求項４】
請求項１〜３のいずれか１に記載した折板屋根材の接続構造であって、
前記折板屋根材を複数枚準備して該折板屋根材のハゼ部とこれに隣接配置される他の折板屋根材のハゼ部とを嵌合させたのち、固定具を用いて該ハゼ部の脚部を両側から挟持して折板屋根材同士を桁行方向に接続し、次いで、前記折板屋根材とは異なる他の折板屋根材を、桁行方向に接続された折板屋根材の棟側端近傍域に重ね合わせて折板屋根材同士を桁行−棟方向に接続してなることを特徴とする折板屋根材の接続構造。
【請求項５】
請求項４に記載した折板屋根材の接続構造において使用する固定具であって、
前記折板屋根材のハゼ部を桁行方向において挟み込む一対の側壁と、この側壁の上端部にそれぞれ一体連結して該側壁と協働してその内側にハゼ部の格納空間を形成する天壁と、該側壁の各下端に連結して該側壁の起立状態に保持するとともに前記天板部に接地される一対のベース板からなり、
前記側壁の一方に先端部をハゼ部の脚部に当接可能な舌片を設け、
該側壁のもう一方に、該側壁にねじ部を介して連係し、先端部分を該ハゼ部の反対側の脚部に当接させて該舌片とともに該ハゼ部の脚部を両側から挟持する締め込みボルトを設けたことを特徴とする折板屋根材の接続に使用する固定具。
【請求項６】
前記ベース板は、前記折板屋根材の前記凸部の背面に連係する係合端を有することを特徴とする請求項５に記載した折板屋根の接続に使用する固定具。
【発明の詳細な説明】
【技術分野】
【０００１】
本発明は、工場、倉庫、大型店舗等の大面積の屋根において幅広く使用される、折板屋根材、その折板屋根材の接続構造およびその接続に使用する固定具に関するものである。
【背景技術】
【０００２】
折板屋根材は、本来、鋼板コイルを素材として、これを施工現場に設置されたロール成形機で所望の形状、長さに成形される製品であって、施工性、耐風圧強度、止水性を経済的に確保できる屋根材として広く普及している。
【０００３】
ところで、近年、既設の折板構造の屋根に対する改修需要が高まっており、施工現場での折板屋根材の迅速な成形および施工が求められているが、とくに、折板屋根材は長尺なものが多く、その成形、施工を行うのが困難になること（場所の確保等）が多い。
【０００４】
その打開策として、最近では、工場で予め輸送可能な長さのもとで所定の形状、所定の長さに成形し（定型、定尺化）、これを施工現場でつなぎ合わせることによって屋根の構築を可能とする屋根材、施工法が開発されてきている。
【０００５】
しかし、折板構造の屋根は、大面積で緩勾配のものが多く、とくに止水性を確保するのが困難な状況にあった。
【０００６】
このため、従来は、不定形シール、いわゆるコーキング材を適用して止水性の確保が図られているが、日射、寒気による屋根材の伸縮により、該コーキング材の劣化、切断された場合には、雨漏りが生じてしまうことも懸念され、未だ改善の余地が残されている。
【０００７】
上記のような不具合を解消する先行技術として、特許文献１には、外装材の施設状態において形成される少なくとも２つの山部に跨って配設される横架材を保持部材に締着し、該横架材に押圧部を設け、この押圧部によって外装材の重合部分を押圧するようにした構造のものが提案されている。
【０００８】
また、特許文献２には、外装材の施設状態において形成される谷部に押さえ材を配置し、この押さえ材の押圧部で外装材の重合させた端部を上方から押圧状に保持する構造のものが提案されている。
【０００９】
また、特許文献３には、山部と谷部が交互に成型された定尺折板につき、その棟側端の裏面に該定尺折板の断面形状とほぼ同一に形成された裏あて材を固着した構造のものが、特許文献４〜６には、屋根板本体の支持受け部の棟側端部側に複数本の突条（ビード）を設け、雨水の侵入を防止するようにした構造のものが、さらに、特許文献７には、建築用板材の重合継手部の上に押さえ部材を配置し、ドリルビス等の複数の継手部用と固着具により該建築用板材を貫通させてその下側に設けられた継手支持材の支持板に固定するようにしたものが提案されている。
【先行技術文献】
【特許文献】
【００１０】
【特許文献１】特許第４７１２５７１号公報
【特許文献２】特開２０１０−１６８７６０号公報
【特許文献３】実開平７−４６４２号公報
【特許文献４】特許第２５２４３１０号公報
【特許文献５】特開平６−９３６８６号公報
【特許文献６】特開平６−９３６８７号公報
【特許文献７】特許第３１９６５６０号公報
【発明の概要】
【発明が解決しようとする課題】
【００１１】
しかしながら、上記文献１〜７に開示されているものは、いずれも、屋根材を、その最も低くなる底板部にねじの如き固着具を介して固定する構造になっているため、不定型シールやコーキング材を用いた止水構造を適用したとしても、日射、寒気による伸縮、経時劣化等によりその機能を長期にわたって維持することが困難で雨漏りを起こすことが懸念され（この種の屋根材が使用される建築物は、大面積で緩勾配の屋根が多く、止水性の確保が課題）、また、屋根材同士を接続するための複数の部材が別途に必要であり部品点数の増加も避けられないことから、効率的な施工を実現するのが難しい状況にある。
【００１２】
とくに、特許文献４〜６に開示されているような構造のものでは、緩勾配の屋根に適用した場合において、風圧による雨水の遡りに対しては十分に対応しきれないことが懸念される。
【００１３】
本発明の目的は、構造の簡素化を図り効率的な施工を実現することができ、雨水等の侵入を確実に防止し得る止水性の高い折板屋根材、その折板屋根材の接続構造およびその折板屋根材の接続に使用する固定具を提案するところにある。
【課題を解決するための手段】
【００１４】
本発明は、桁行−棟方向に沿って伸延する一対の長辺および桁行方向に沿って伸延する一対の短辺にて区画された底板部と、この底板部の前記各長辺の全長にわたってつながり外開き状態でそれぞれ立ち上がるとともにその上部にて横向きに張り出した先端先細り状の凸部を有する傾斜側板部と、この傾斜側板部の各上端部につながる天板部と、この天板部の末端にてそれぞれ立ち上がり桁行方向に沿って隣接配置される他の折板屋根材のハゼ部と嵌合してそれらとの相互接続を可能とするハゼ部とを備え、前記底板部と前記傾斜側板部との境界及び前記傾斜板部と前記天板部との境界を屈曲部として山、谷を交互に形成する折板屋根材であって、前記底板部、前記傾斜側板部及び前記天板部の棟側端に、該棟側端を起点に立ち上りその上側に配置される他の折板屋根材の裏面に当接可能な起立壁を設け、該底板部、該傾斜側板部及び該天板部の桁行側端に、該桁行側端を起点に垂れ下がり、その下側に位置する他の折板屋根材の外表面に当接可能な垂下壁を設けたことを特徴とする折板屋根材である。
【００１５】
上記の構成からなる折板屋根材においては前記起立壁のうち、天板部において立ち上がる起立壁は、前記凸部の断面形状と同じ形状をなし、その上側に配置される他の折板屋根材との重ね合わせ状態で該上側に配置される他の折板屋根材に連係可能な顎部を有し、前記垂下壁のうち、傾斜側板部において垂れ下がる垂下壁は、前記凸部に嵌合可能な形状をなし、その下側に位置する他の折板屋根材との重ね合わせ状態で該下側に位置する他の折板屋根材に連係可能な凹所を有すること、また、前記起立壁の少なくとも上端に弾性シール部材を配置し、前記垂下壁の少なくとも下端に弾性シール部材を配置すること、が本発明の課題解決のための具体的手段として好ましい。
【００１６】
また、本発明は、上記の構成からなる折板屋根材の接続構造であって、前記折板屋根材を複数枚準備して該折板屋根材のハゼ部とこれに隣接配置される他の折板屋根材のハゼ部とを嵌合させたのち、固定具を用いて該ハゼ部の脚部を両側から挟持して折板屋根材同士を桁行方向に接続し、次いで、前記折板屋根とは異なる他の折板屋根材を、桁行方向に接続された折板屋根材との棟側端近傍域に重ね合わせて折板屋根材同士を桁行−棟方向に接続してなることを特徴とする折板屋根材の接続構造である。
【００１７】
また、本発明は、上記の構成からなる折板屋根材の接続構造において使用する固定具であって、前記折板屋根材のハゼ部を桁行方向において挟み込む一対の側壁と、この側壁の上端部にそれぞれ一体連結して該側壁と協働してその内側にハゼ部の格納空間を形成する天壁と、該側壁の各下端に連結して該側壁の起立状態に保持するとともに前記天板部に接地される一対のベース板からなり、
前記側壁の一方に先端部をハゼ部の脚部に当接可能な舌片を設け、該側壁のもう一方に、該側壁にねじ部を介して連係し、先端部分を該ハゼ部の反対側の脚部に当接させて該舌片とともに該ハゼ部の脚部を両側から挟持する締め込みボルトを設けたことを特徴とする折板屋根材の接続に使用する固定具である。
【００１８】
上記の固定具においては、前記ベース板に、前記折板屋根材の前記凸部の背面に連係可能な係合端を設けることが好ましい。
【発明の効果】
【００１９】
上記の構成からなる本発明の折板屋根材によれば、底板部、傾斜側板部及び天板部の棟側端に、該棟側端を起点に立ち上りその上側に配置される他の折板屋根材の裏面に当接可能な起立壁を設け、該底板部、該傾斜側板部及び該天板部の桁行側端に、該桁行側端を起点に垂れ下がり、その下側に位置する他の折板屋根材の外表面に当接可能な垂下壁を設けたため、折板屋根材を重ね合わせて桁行−棟方向に接続する場合にその重ね合わせ部に二重の止水壁を形成することができ、雨水等の侵入を確実に回避し得る。また、起立壁、垂下壁の高さ分だけ、重ね合わせ部において比較的大きな空間が形成されることになるため、折板屋根材の起立壁とその上側に配置される他の折板屋根材との相互間における気密性を、該上側に配置される他の折板屋根材の垂下壁と当該折板屋根材との相互間における気密性よりも高めておくことにより該空間を等圧空間とすることができ、暴風雨時の止水性をより高めることが可能となる。
【００２０】
また、本発明の折板屋根材によれば、前記起立壁のうち、天板部において立ち上がる起立壁は、前記凸部の断面形状と同一形状をなし、その上側に配置される他の折板屋根材との重ね合わせ状態で該折板屋根材に連係可能な顎部を設け、前記垂下壁のうち、傾斜側板部において垂れ下がる垂下壁は、前記凸部の断面形状と同一形状をなし、その下側に位置する他の折板屋根材との重ね合わせ状態で該下側に位置する他の折板屋根材に連係可能な凹所を設けるようにしたため、折板屋根材の桁行−棟方向への接続を任意の位置で簡単かつ確実に行うことができる。さらに、吊子等の別部材を用いて屋根材同士をつなぎ合わせる折板屋根材に比べて、折板働き幅の、内側位置において折板屋根材を支持することができるため、吊子等の別部材を用いる必要がなく、風による負圧作用時に働く折板屋根材の幅方向における曲げモーメントを軽減することが可能となり、耐風圧強度が向上する。
【００２１】
また、本発明の折板屋根材によれば、起立壁の少なくとも上端に弾性シール部材を配置し、前記垂下壁の少なくとも下端に弾性シール部材を配置したため、折板屋根材の重ね合わせ部における止水性効果をより一層高めることができる。
【００２２】
上記の構成からなる本発明の折板屋根材の接続構造によれば、折板屋根材のハゼ部とこれに隣接配置される他の折板屋根材のハゼ部とを嵌合させたのち、固定具を用いて該ハゼ部の脚部を両側から挟持して折板屋根材同士を桁行方向に接続し、次いで、該折板屋根材とは異なる別の折板屋根材を、桁行方向に接続された折板屋根材の棟側端近傍域に重ね合わせて折板屋根材同士を桁行−棟方向に接続するようにしたため、屋根の効率的な施工が可能となる。
【００２３】
本発明の折板屋根材の接続構造において使用する固定具によれば、ハゼ部の脚部の一方に舌片の先端部を当接させ、もう一方からボルトを締め込んで該脚部を挟持するようにしたため、折板屋根材同士を簡便かつ確実に接続することができる。
【００２４】
本発明の折板屋根材の接続構造に使用する固定具によれば、ベース板に折板屋根材の凸部背面に連係可能な係合端を設けることにより該係合端を抜け止め部材として機能させることができ、折板屋根材同士を桁行−棟方向につなぎ合わせる場合にその接続強度をより一層高めることが可能となる。
【図面の簡単な説明】
【００２５】
【図１】本発明にしたがう折板屋根材の正面を示した図である。
【図２】図１に示した折板屋根材の背面を示した図である。
【図３】図１に示した折板屋根材の平面を示した図である。
【図４】図３のＡ−Ａ断面を示した図である。
【図５】図１に示した折板屋根材の外観斜視図である。
【図６】（ａ）〜（ｃ）は、固定具の構成を模式的に示した図であり、（ａ）は正面図であり、（ｂ）は左側面図であり、（ｃ）は右側面図である。
【図７】図１に示した折板屋根材を桁行方向につなぎ合わせた状態を示した図である。
【図８】固定具の使用状況を示した図である。
【図９】図１に示した折板屋根材を桁行−棟方向につなぎ合わせた状態を示した図である。
【図１０】本発明にしたがう折板屋根材を用いて屋根を葺きあげる施工状況を示した図である。
【図１１】本発明にしたがう折板屋根材を桁行−棟方向につなぎあわせた状態を要部について示した図である。
【図１２】本発明にしたがう折板屋根材を桁行−棟方向につなぎ合わせた状態を要部について示した図である。
【図１３】弾性部材の配置状況を示した図である。
【発明を実施するための形態】
【００２６】
以下、図面を参照して、本発明をより具体的に説明する。
図１は、本発明にしたがう折板屋根材の正面（桁行側端面）を示した図であり、図２は、その背面（棟側端面）を示した図である。また、図３は、図１に示した折板屋根材の平面を示した図であり、図４は、図３のＡ−Ａ断面を示した図であり、さらに図５は、本発明にしたがう折板屋根材の外観斜視図である。
【００２７】
本発明にしたがう折板屋根材は、厚さ０．６〜１．０ｍｍの例えば、溶融亜鉛めっき鋼板やカラー鋼板等の防錆処理鋼板、あるいはステンレス鋼板、アルミニウム合金板、亜鉛板等を、ロール成形によって成形される定尺部材からなるものが適用される。
【００２８】
建築構造物等の屋根を葺きあげるにあたっては、同じ折板屋根材を複数枚用意し、これを、桁行方向、桁行─棟方向に沿ってそれぞれつなぎ合わせることになる。本発明においても同一形状の折板屋根材を使用する点では、同じであり、本発明でいうところの、「桁行方向に隣接配置される他の折板屋根材」、「上側に配置される他の折板屋根材」、「下側に位置する他の折板屋根材」とは、全て以下に説明する折板屋根材と同じ構成からなるものを前提としている。
【００２９】
図１〜５における符号１は、折板屋根材の底板部である。この底板部１は、桁行─棟方向に沿って伸延する一対の長辺１ａ、１ｂと、桁行方向に沿って伸延する一対の短辺１ｃ、１ｄにて区画されている。
【００３０】
また、２、３は、底壁部１の各長辺１ａ、１ｂの長手方向の全長にわたってつながり、外開き状態でそれぞれ立ち上がる傾斜側板部である。この傾斜側板部２、３の上部には、横向きに張り出し相互に対向する凸部（オーバーハング部）２ａ、３ａが設けられている。この凸部２ａ、３ａは、曲げ加工を施して先端先細りの外面形状となるように形成されたものであって、その背面には、外面形状と同じ形状からなる先端先細りの凹部２ａ′、３ａ′が形成されている。
【００３１】
４、５は、傾斜側板部２、３の上端部につながる天板部、６、７は天板部４、５の末端にてそれぞれ立ち上がり桁行方向に沿って隣接配置される他の折板屋根材（本発明の折板屋根材と構成が同一になるもの）のハゼ部と嵌合してそれらとの相互接続を可能とするハゼ部（この例では、ハゼ部６が外ハゼ、ハゼ部７が内ハゼとなる）である。
【００３２】
８は、底板部１の棟側端に設けられ、その部位を起点に立ち上る起立壁（板状体）、９ａ、９ｂは、傾斜側板２、３の棟側端部に設けられ、その部位を起点に立ち上る起立壁（板状体）、１０ａ、１０ｂは、天板部４、５の棟側端に設けられ、その部位を起点に立ち上る起立壁（板状体）である。
【００３３】
これら起立壁８、９ａ、９ｂ、１０ａ、１０ｂは、それらが相互に連なる単一物を例として示したが、底板部１、傾斜側板部２、３、天板部４、５のそれぞれの境界部において切り離され、それぞれ独立して起立させたものであってもよく、この点については限定されない。
【００３４】
上記起立壁８、９ａ、９ｂは、その上側に配置される他の屋根板材の裏面に当接可能な立ち上がり寸法（高さ）を有している。また、起立壁１０ａ、１０ｂは、凸部２ａ、３ａの断面形状と同一形状（同一の輪郭形状）をなし同一方向に向けて設けられ、その上側に配置される他の折板屋根材との重ね合わせ状態で該折板屋根材（上側に配置される折板屋根材）に連係可能な顎部１０ａ１、１０ｂ１を有している。
【００３５】
１１は、底板部１の棟側端に設けられ、その部位を起点に垂れ下がる垂下壁（板状体）、１２ａ、１２ｂは、傾斜側板２、３の桁行側端に設けられ、その部位を起点に垂れ下がる垂下壁（板状体）、１３ａ、１３ｂは、天板部４、５の桁行側端に設けられ、その部位を起点に立ち垂れ下がる垂下壁（板状体）である。これら垂下壁１１、１２ａ、１２ｂ、１３ａ、１３ｂは、それらが相互に連なる単一物を例として示したが、上記起立壁８、９ａ、９ｂ、１０ａ、１０ｂと同様にそれぞれ独立して起立するものであってもよい。
【００３６】
上記垂下壁１１、１２ａ、１２ｂ、１３ａ、１３ｂは、その下側に配置される他の屋根板材の表面に当接可能な垂れ下がり寸法を有している。また、垂下壁１２ａ、１２ｂは、凸部２ａ、３ａに嵌合可能な形状をなし、その下側に位置する他の折板屋根材との重ね合わせ状態で該下側に位置する折板屋根材に連係可能な凹所１２ａ１、１２ｂ１が形成されており、該凹所１２ａ１、１２ｂ１に下側に配置される他の折板屋根材の凸部２ａ、２ｂを連係させることにより相互の離脱を不能にする。
【００３７】
図６（ａ）〜（ｃ）は、本発明にしたが折板屋根材の接続に使用するのに好適な固定具の構成を示した図である。
【００３８】
この固定具は、折板屋根材の長手方向の任意の位置に少なくとも１箇所に配置されるものであって、折板屋根材のハゼ部６、７を桁行方向において挟み込む一対の側壁１４、１５と、この側壁１４、１５の上端部にそれぞれ一体連結して該側壁と協働してその内側にハゼ部６、７の格納空間を形成する天壁１６と、該側壁１４、１５の各下端に連結して該側壁の起立状態に保持するとともに前記天板部４、５に接地される一対のベース板１７、１８から構成されている。
【００３９】
そして、側壁１４には、先端部をハゼ部６の脚部６ａに当接可能な舌片１９が設けられており、もう一方の側壁１５には、該側壁１５にねじ部を介して保持された締め込みボルト２０が設けられている。折板屋根材のハゼ部６と、桁行方向に離接配置される他の折板屋根材のハゼ部７を嵌合させた状態にし、舌片１９の先端部をハゼ部６、ハゼ部７のいずれか一方の脚部に当接させ、もう一方の脚部に締め込みボルト２０の先端部を当接させて該ボルトを締め込むことにより折板屋根同士を接続する。
【００４０】
ベース板１７、１８は、天板部４、５の接地状態で上側に配置される他の折板屋根材の凸部２ａ、３ａの背面の先端先細りの凹部２ａ′、３ａ′に連係する係合端１７ａ、１８ａを有している。また、舌片１９は、側壁１４の壁部を切り離して形成したものを例として示したが、別部材を一体連結したものを適用してもよく、その先端部には、ハゼ部６、７の脚部６ａ、７ａにおいて面接触を可能とする屈曲部を設けておくことができる。
【００４１】
本発明にしたがう折板屋根材を桁行に沿って連結した状態を図７に、また、上記固定具による折板屋根材の固定状況を図８に、さらに折板屋根板材を桁行−棟方向に連結した状態を図９にそれぞれ示す。
【００４２】
図１０は、上記の構成からなる折板屋根材を用いて建築構造物の屋根を葺きあげる施工状況を示した図である。
【００４３】
折板屋根材を、桁行方向につなぎ合わせる場合には、該折板屋根材を桁行方向に沿って配列するとともに該折板屋根材のハゼ部６とこれに隣接配置される他の折板屋根材のハゼ部７とを嵌合させ、次いで、固定具を用いて図８に示すように該ハゼ部６、７の脚部６ａ、７ａを両側から挟持する。
【００４４】
そして、桁行方向に接続した折板屋根材（下側に位置する折板屋根材）につき、その棟側端近傍域に他の折板屋根材（上側に配置される折板屋根材）を重ね合わせて、図１１に示す如く、下側に位置する折板屋根材の前記凸部２ａ、３ａを、上側に配置される折板屋根材の凹所１２ａ１、１２ｂ１に嵌合させるとともに該下側に位置する折板屋根材の前記顎部１０ａ１、１０ｂ１を上側に配置される折板屋根の凸部２ａ、３ａの背面（裏側面）に連係させればよく、これにより折板屋根材同士が桁行−棟方向に接続される。なお、桁行−棟方向において、複数枚の折板屋根材の接続が必要となる場合には、上記の作業を繰り返し行う。
【００４５】
折板屋根材を桁行−棟方向につなぎ合わせる際の重ね合わせ代Ｌとしては図１２に示すように屋根の支持位置に誤差があった場合においてもその位置に応じて適宜変更することが可能であり、これにより施工能率を低下させることなしに、折板屋根材を確実に固定することができる。
【００４６】
上記固定具を折板屋根の棟側端に配置して該折板屋根同士を固定する場合、該固定具は、下側に位置する折板屋根材の起立壁１０ａ、１０ｂと上側に配置される折板屋根材の垂下壁１３ａ、１３ｂとの間に位置するこことなり、該固定具が屋根の外表面に露出することはない。
【００４７】
とくに、本発明にしたがう固定具は、上掲図８に示すように、ベース板１７、１８の自由端１７ａ、１８ａが、上側に配置される折板屋根材の傾斜側板部２、３の凸部２ａ、３ａの背面の凹所２ａ′、３ａ′に連係させることができるため、これにより、上側に配置される折板屋根材と、下側に位置する折板屋根材との接続強度がより一層高められる利点がある。
【００４８】
起立壁８、９ａ、９ｂ、１０ａ、１０ｂ、垂下壁１１、１２ａ、１２ｂ、１３ａ、１３ｂの少なくとも上端、下端表面には図１３に示すように弾性部材Ｚ（発泡倍率が１０倍程度で紫外線、熱サイクルに強いＥＰＤＭ（エチレンプロピレン）ゴム（エプトシーラー、オプシーラー（商品名））等を設けておくことができる。これにより折板屋根材の重ね合わせ部において形成された空間（起立壁と垂下壁の相互間に形成される空間）の気密性が高められ、止水性の改善に寄与する。
【００４９】
底板部１、傾斜壁部２、３、天壁部４、５の桁行側端、棟側端にそれぞれ伸延部を設けておき、これに曲げ加工を施すことにより起立壁８、９ａ、９ｂ、１０ａ、１０ｂ、垂下壁１１、１２ａ、１２ｂ、１３ａ、１３ｂを形成することができるが、該起立壁８、９ａ、９ｂ、１０ａ、１０ｂ、垂下壁１１、１２ａ、１２ｂ、１３ａ、１３ｂを形成する部材を別途に用意しておき、これを溶接等により一体連結してもよく、この点については限定されない。
【００５０】
また、起立壁８、９ａ、９ｂ、１０ａ、１０ｂ、垂下壁１１、１２ａ、１２ｂ、１３ａ、１３ｂの先端部近傍域に屈曲部を設けてコの字断面形状とすることも可能であり、これにより、折板屋根材の設置姿勢を安定化することができる。
【００５１】
既存の折板屋根を改修するに当たり、本発明にしたがう折板屋根材を既存の折板屋根の上に固定するには、上記固定具を既存の折板屋根材の天板部に配置し、そのハゼ部（既存の折板屋根材）の脚部を舌片１９、ボルト２０によって挟持する。そして、その上に本発明にしたがう折板屋根材を配置して固定具のベース板１７、１８の係合端１７ａ、１８ａを該折板屋根材の凸部２ａ、３ａの背面に連係させる。これにより既存の折板屋根材に本発明に従う折板屋根材を確実に固定できる。
【００５２】
折板屋根材の桁行方向の接続、桁行−棟方向への接続は、既存の折板屋根を改修する場合であっても上述したところと同様の要領で行えばよく、本発明の折板屋根材、接続構造、固定具は、既存の折板屋根を改修する場合においても容易に対応し得る。
【産業上の利用可能性】
【００５３】
本発明によれば、効率的な施工が可能であり、雨水等の侵入を長期にわたって防止し得る折板屋根材、その折板屋根材の接続構造およびその折板屋根材の接続に用いる固定具が提供できる。
【符号の説明】
【００５４】
１      底板部
１ａ、１ｂ    長辺
１ｃ、１ｄ    短辺
２、３    傾斜側板部
４、５    天板部
６、７    ハゼ部
８、９ａ、９ｂ、１０ａ、１０ｂ      起立壁
１０ａ１、１０ｂ１    顎部
１１、１２ａ、１２ｂ、１３ａ、１３ｂ    垂下壁
１２ａ１、１２ｂ１    凹所
１４、１５    側壁
１６      天壁
１７、１８    ベース板
１７ａ、１８ａ    係合端
１９      舌片
２０      ボルト
Ｚ      弾性部材
【図１】
2014114652.tif 000003
【図２】
2014114652.tif 000004
【図３】
2014114652.tif 000005
【図４】
2014114652.tif 000006
【図５】
2014114652.tif 000007
【図６】
2014114652.tif 000008
【図７】
2014114652.tif 000009
【図８】
2014114652.tif 000010
【図９】
2014114652.tif 000011
【図１０】
2014114652.tif 000012
【図１１】
2014114652.tif 000013
【図１２】
2014114652.tif 000014
【図１３】
2014114652.tif 000015